(57)【特許請求の範囲】
【請求項１】
下部に直方体形状の吸気室が形成された筐体と、前記吸気室の内部に取り付けられた送気手段とを備えてなり、前記筐体は、前記送気手段の下方に形成された吸気口と、前記送気手段の上方に形成され、建築物の屋根と棟木との間に挿入可能な排気流路と、該排気流路の先端部に形成された排気口とを有し、前記排気流路は、前記筐体の上部の流路面積を前記排気口に向けて漸次縮小して形成され、かつ前記筐体の一の側面パネルの上部を該筐体の内側方向に折り曲げて前記屋根の野地坂の勾配に合わせた傾斜角度に形成された上側傾斜面を有し、前記上側傾斜面は、縁部に前記野地板方向に突出した突出部を有し、前記突出部は前記屋根の傾斜方向に沿って直線状に延在している換気装置。
【請求項２】
前記筐体は、前記筐体の対向する側面に各々に配設されて前記筐体を前記屋根に固定するための固定部材を有し、該固定部材は、前記屋根に設けられた垂木の下面に当接する当接面を有し、前記固定部材は、前記当接面と前記筐体の上側傾斜面との距離が、前記建物の垂木の下面と前記野地板の小屋裏側の面との距離よりも短くなる位置に配設されていることを特徴とする請求項１に記載の換気装置。
【請求項３】
前記吸気口を複数有し、該複数の吸気口の少なくとも１つは、前記建築物の小屋裏内の換気に用いられ、他の吸気口には、前記建築物の部屋部分に設けられた部屋側吸気口に連通するダクトが取り付けられていることを特徴とする請求項１または２に記載の換気装置。
【発明の詳細な説明】
【０００１】
【発明の属する技術分野】
本発明は、換気装置に係り、特に、傾斜屋根を有する建築物の棟部から排気を行う換気装置に関する。
【０００２】
【従来の技術】
近年の建材の技術的進歩により、建築物の高気密化や高断熱化が進んでいるため、部屋部分や、天井と屋根の間の小屋裏などで、結露やカビの発生が問題となっている。また、建材や接着剤、さらには室内での喫煙などから発生するＶＯＣ（揮発性有機化合物）ガスの室内での滞留なども問題になっている。このため、部屋部分や小屋裏などを換気する換気装置が設置されている。
【０００３】
小屋裏は、居室などから上がった水蒸気が結露するため、部屋部分などよりも結露しやすい状態にあり、家屋の耐久性の低下や、カビの発生の原因となっている。また、小屋裏で発生した結露やカビを除去することは、部屋部分などに比べて難しい。さらに、小屋裏は熱が溜まり易いため、換気効率が悪い場合は高温になり、夏期の冷房効率を低下させる原因となる。したがって、小屋裏の換気は特に効率よく行う必要がある。ところが、切り妻屋根、入母屋屋根、四注屋根、片流れ屋根などの傾斜した屋根を有する家屋などの建築物の小屋裏では、小屋裏の壁面に換気装置を設けても、その屋根の形状から、上部に溜まった高温多湿の空気を効率よく外部に排気することはできない。このため、小屋裏の高い位置に溜まった空気を効率よく排気でき、さらに各部屋部分などの換気もできるようにする必要がある。このような小屋裏の高い位置に溜まった空気を効率よく排気する方法として、特許掲載公報第２５９２４００号、第２５９８３６９号などに、屋根の棟部に開口を設け、この開口を覆うように太陽電池モジュールや換気装置を有する構造体を形成することにより小屋裏内の空気を排気する棟構造が提案されている。しかし、これらの棟構造では、通常の建築物の棟構造とは異なり、太陽電池モジュールや換気装置が設置された構造体を形成した特殊な棟構造となるため、建築資材や施工の工数が増加するうえ、建築物の設計を制限する場合がある。加えて、既存の建築物に設置する場合には、複雑な施工が必要となる。
【０００４】
このため、建築資材や施工の工数の増加を抑え、建築物の設計を制限せずに小屋裏を換気する方法として、建築物の棟部に換気装置を設置し、換気装置の排気口と棟部に形成した開口とを連通させることが考えられる。しかし、一般に棟部には棟木が渡されているため、従来の箱形の筐体からなる換気装置を棟部の開口に直接連結することはできない。したがって、換気装置の排気口と棟部の開口とを連結するためのダクトが必要になる。しかし、棟部の開口へのダクトの固定作業などは、屋根の棟部と棟木との間などの狭い空間で行わなければならない。このように、従来の箱形の換気装置を建築物の棟部に取り付け、建築物の棟部の開口から排気を行う場合、換気装置を構成する部品点数、換気装置の取り付け作業の工数やコストなどが増加するうえ、狭い空間で取り付け作業を行わなければならない。
【０００５】
このような問題を解決する換気装置として、特開平１１−２４１８４３号公報に、先端部に排気口を有し、建築物の屋根と棟木との間に挿入可能な排気流路、すなわち、側面から見た場合に、筐体の斜め上方に嘴状に突出した排気流路が形成された筐体を備えた換気装置が提案されている。この換気装置の排気口は、筐体を建築物に取り付けたとき、建築物の棟部に設けられた開口に対応する位置に来るように形成されている。また、排気流路を画成する筐体の上側傾斜面は、屋根の傾斜と同じ角度で傾斜させて形成されており、筐体を建築物に取り付けたとき、上側傾斜面が野地板に当接するようになっている。これにより、従来の箱形の筐体を備えた換気装置のように、筐体に形成された排気口と建築物の棟部に形成された開口とを連通させるためのダクトや、そのダクトの狭い空間での取り付け作業などをなくすことができる。
【０００６】
【発明が解決しようとする課題】
ところで、建築物の屋根の外側表面は、仕上げ材が固定されるため、野地板の小屋裏側には、仕上げ材を野地板に固定するための釘などが突出した状態になっている。このため、特開平１１−２４１８４３号公報に提案されているような換気装置を屋根に取り付ける場合、筐体の上側傾斜面が野地板に当接すると、上側傾斜面に釘などが干渉してしまい、筐体を屋根に取り付けることができない。従って、筐体の上側傾斜面が当接する領域に突出した釘などを筐体に干渉しないように削るなどの作業が必要となり、換気装置の取り付け作業が煩雑になる。
【０００７】
さらに、筐体の排気流路を屋根と棟木の間に挿入するとき、野地板から突出した釘などが筐体の上側傾斜面に当接した状態で筐体を移動させると、筐体が破損してしまう。このため、筐体が釘などに当たらないように注意しながら、筐体の排気口が棟部に形成された開口に連通するように筐体を移動させなければならない。つまり、狭い小屋裏の棟部近傍で、作業者が筐体を不安定な状態で支持しながら、筐体を移動させるといった作業を行う必要があるため、取り付け作業が煩雑になる。
【０００８】
本発明の第１の課題は、建築物の屋根に簡単に取り付けが行える換気装置を提供することである。
【０００９】
また、特開平１１−２４１８４３号公報では、建築物に居住室内から隔離され、空気の流路となるエアースペースを設け、屋根の棟部に取り付けられた換気装置により、建築物の下層から上層、すなわち小屋裏への空気の流れを作り、部屋部分と小屋裏の換気を行うことが提案されている。しかし、エアースペースの位置や、各部屋部分に設けられた排気口の位置などによっては、各部屋部分の廃棄を均一にすることができず、十分な換気効率が得られない部屋が生じる場合がある。
【００１０】
本発明の第２の課題は、建築物の屋根に簡単に取り付けが行え、かつ、部屋部分の換気効率を向上した換気装置を提供することである。
【００１１】
【課題を解決するための手段】
本発明の換気装置は、以下の手段により上記第１の課題を解決する。下部に直方体形状の吸気室が形成された筐体と、前記吸気室の内部に取り付けられた送気手段とを備えてなり、前記筐体は、前記送気手段の下方に形成された吸気口と、前記送気手段の上方に形成され、建築物の屋根と棟木との間に挿入可能な排気流路と、該排気流路の先端部に形成された排気口とを有し、前記排気流路は、前記筐体の上部の流路面積を前記排気口に向けて漸次縮小して形成され、かつ前記筐体の一の側面パネルの上部を該筐体の内側方向に折り曲げて前記屋根の野地坂の勾配に合わせた傾斜角度に形成された上側傾斜面を有し、前記上側傾斜面は、縁部に前記野地板方向に突出した突出部を有し、前記突出部は前記屋根の傾斜方向に沿って直線状に延在している。
【００１２】
このようにすれば、換気装置の筐体は、屋根の傾斜方向に直線状に延在する突出部のみが野地板に当接するため、野地板と上側傾斜面との間に空間ができ、野地板から屋根の仕上げ材を固定するための釘などが突出していても、釘などが上側傾斜面に干渉することがない。このため、野地板から突出した釘などを削るなどの煩雑な作業を行わなくても、筐体を屋根に取り付けることができる。さらに、建築物の棟木の上方に換気装置の排気流路を挿入するとき、釘などが上側傾斜面に干渉することがないため、突出部を野地板に摺接させながら筐体を移動させることで、野地板をガイドとして筐体を棟部方向に移動させることができる。したがって、作業者は、筐体を安定な状態で保持して簡単に移動させることができる。すなわち、換気装置を建築物の屋根に簡単に取り付けることができる。
【００１３】
また、筐体は、筐体の対向する側面に各々配設されて筐体を屋根に固定するための固定部材を有し、これらの固定部材は、屋根に設けられた垂木の下面に当接する当接面を有し、当接面と筐体の上側傾斜面との距離が、前記建物の垂木の下面と野地板の小屋裏側の面との距離よりも短くなる位置に配設されている。
【００１４】
このようにすれば、固定部材の当接面を垂木の下面に摺接させながら垂木をガイドとして筐体を屋根の棟部方向に移動させることができるので、作業者は、筐体を安定な状態で保持して棟部方向へ移動できる。すなわち、換気装置を建築物の屋根に簡単に取り付けることができる。
【００１５】
このとき、換気装置の筐体に屋根の傾斜方向に直線状に延在する突出部が形成されている場合には、前述のように、野地板から釘などが突出していても、釘などが筐体の上面に干渉することがない。しかし、換気装置の筐体に突出部が形成されていない場合には、野地板から釘などが突出していると、筐体が破損するか、または筐体の移動ができなくなる。
【００１６】
そこで、固定部材は、固定部材の当接面と屋根に面する筐体の上面となる傾斜面との距離が、垂木の下面と野地板の小屋裏側の面との距離よりも短くなる位置に設けられている構成とすれば、野地板に面する筐体の上面と野地板との間に空間ができ、野地板から突出した釘などが筐体の上面に干渉しない状態にできるので好ましい。
【００１７】
本発明の換気装置は、以下の手段により上記第２の課題を解決する。
吸気口を複数有し、この複数の吸気口の少なくとも１つは、建築物の小屋裏内の換気に用いられ、他の吸気口には、建築物の部屋部分に設けられた部屋側吸気口に連通するダクトが取り付けられている。
【００１８】
このようにすれば、各部屋の空気を直接換気装置のダクトを介して吸引することができるので、各部屋の空気をほぼ均一に吸引し、十分な換気効率を得ることができる。すなわち、換気効率を向上することができる。
【００１９】
【発明の実施の形態】
以下、本発明を適用してなる換気装置の一実施形態を図１乃至図７を参照して説明する。図１は、本発明を適用してなる換気装置の内部構成と換気装置作動時の空気の流れを示す側面図である。図２は、換気装置の内部構成と換気装置作動時の空気の流れを示す図１のII−II線から見た正面図である。図３は、換気装置の正面図である。図４は、換気装置の側面図である。図５は、換気装置の下面図である。図６は、換気装置の建築物の棟部への取り付け状態と換気装置作動時の空気の流れを示す建築物の拡大断面図である。図７（ａ）、（ｂ）は、換気装置の取り付け手順の一例を示す図である。図８は、換気装置を野地板に当接させ、隣り合う垂木間に位置させた状態を示す斜視図である。図９は、換気装置の建築物の棟部への取り付け状態と換気装置作動時の建築物内での空気の流れを示す建築物の断面図である。なお、図１、２、６では、換気装置の内部構成を説明するため、各々図中手前側の側壁を取り除いた状態を示しており、図８では、垂木間に設置された換気装置の状態を分かり易くするため屋根部分などを省略している。
【００２０】
本実施形態の換気装置１は、図１、２に示すように、筐体３の内部が隔壁５により、下側に位置する直方体形状の吸気室７と上側に位置する排気室９とに２分されている。筐体３と隔壁５は、例えば亜鉛鋼板、ステンレス、アルミニウムなどの金属板や合成樹脂などにより形成されている。隔壁５には開口１１が形成されており、隔壁５の吸気室７側には、送気手段であるシロッコファン１３が、隔壁５の開口１１をシロッコファン１３の吹き出し口１５で囲うように取り付けられている。シロッコファン１３の側方には、支持部材１６を介してシロッコファン１３の駆動用モータ１７が隔壁５に取り付けられている。
【００２１】
筐体３は、背面側パネル１８ａ、正面側パネル１８ｂ、２枚の側面側パネル１８ｃにより形成されている。正面側パネル１８ｂの下部には、図２、３、４に示すように、モータ１７のドライバ１９が取り付けられている。筐体３の底面パネル、すなわち吸気室７の底面パネル２１には、３つずつ２列に計６個の穴が形成されており、この穴には、図５に示すように、外側の中央部周囲にフランジ部２２を有し、一方の端部の開口が吸気口となる筒状の吸気口部材２３が挿入され、フランジ部２２を底面パネル２１にねじ止めすることにより吸気口部材２３が取り付けられている。この吸気口部材２３は、例えば亜鉛鋼板、ステンレス、アルミニウムなどの金属板や合成樹脂などにより形成されている。また、吸気室７内の底部２４には、図１、２に示すように、吸気口部材２３と側壁１８ａ、１８ｂ、１８ｃとの空間を埋めるようにグラスウールからなる吸音材２５が設置されている。
【００２２】
排気室９では、図２、６に示すように、背面側パネル１８ａ上部が、筐体３の内側方向に折り曲げられており、図６に示すように、換気装置１を設置する切り妻屋根、入母屋屋根、四注屋根、片流れ屋根などの傾斜した屋根２７を有する家屋などの建築物の瓦や板などの屋根２７の仕上げ材２９の下地となる野地板３１の勾配に合わせた傾斜角度を有する筐体３の上面、すなわち上側傾斜面３３が形成されている。背面側パネル１８ａに対向する正面側パネル１８ｂ上部には、棟木３５の上端角部に対応する位置から上側傾斜面３３と同方向に４５度折り曲げられた下側傾斜面３７が形成されている。筐体３の両側面側パネル１８ｃは、背面側パネル１８ａ、正面側パネル１８ｂ、上側傾斜面３３、そして下側傾斜面３７から形成される筐体３の縦断面形状に合わせた形状に形成されている。
【００２３】
両側面側パネル１８ｃの上側傾斜面３３に対応する上縁部は、背面側パネル１８ａの上側傾斜面３３よりも上方に突出して突出部３８となっている。すなわち、上側傾斜面３３は、上側傾斜面３３の両側面側パネル１８ｃ側の縁部に、屋根２７の傾斜方向に沿って直線状に延在する突出部３８を有している。また、突出部３８の傾斜は、屋根２７の傾斜と同じ角度に形成されている。
【００２４】
上側傾斜面３３、下側傾斜面３７、そして両側壁１８ｃの上部によって、筐体３の斜め上方に突出し、その先端部にスリット状の開口である排気口３９を有する排気流路４１が形成されている。この排気流路４１は、上側傾斜面３３と下側傾斜面３７とが排気口３９に向けて漸次接近するテーパー状に形成されている。言い換えれば、排気流路４１は、流路面積が排気口３９に向けて漸次縮小するように形成されている。したがって、筐体３の両側面側パネル１８ｃ側から見たときに、排気流路４１は、斜め上方に嘴状に突出した形状になっている。また、両側面側パネル１８ｃの上部の排気流路４１を形成する部分の先端の上側角部４３は、屋根２７の両側の傾斜する野地板３１の棟部４５での交差角度とほぼ同じ角度を有する略山形状に形成されており、棟部４５の内面形状に対応して棟部４５に密着し易いようになっている。筐体３の長編方向の長さ、すなわち背面側パネル１８ａ及び正面側パネル１８ｂの幅は、屋根２７の棟部４５から屋根２７の先端部にかけてほぼ平行に所定の間隔をおいて延在する垂木４７のうち、隣り合う２本の垂木４７間の間隔とほぼ同じ長さに形成されている。
【００２５】
両側面側パネル１８ｃの中央部上方には、筐体３を屋根２７に固定するための固定部材４９が備えられている。固定部材４９は、筐体３と同様の材質で形成されており、垂木４７の下面５０に当接する当接面５１を有し、また、固定部材４９は、当接面５１が垂木４７の下面５０の傾斜角度に合わせて傾斜した状態で筐体３に設置されている。
【００２６】
吸引室７の底面パネル２１に取り付けられた吸気口部材２３には、適宜、図６に示すように、円形断面を有する例えばアルミニウムなどの金属製や合成樹脂製のフレキシブルダクト５２の一端が、接着剤やアルミテープなどの固定手段により取り付けられている。換気を行う部屋、すなわち居室５３、５５、５７、ＬＤＫ５９、トイレ６１の天井６３には、図７に示すように、埃などを除去するための網を有し、吸引面積可変式の室内側吸気口６５が備えられており、フレキシブルダクト５２の他端が、これらの室内側吸気口６５に接着剤やアルミテープなどの固定手段により取り付けられている。なお、室内側吸気口６５は、例えばステンレスなどの金属や合成樹脂により形成されている。換気装置１が設置されている家屋６９の屋根２７には、モータ１７を駆動するための電力源として、太陽電池７１が設置されている。したがって、本実施形態のモータ１７は、直流モータを用いている。
【００２７】
このような構成の本発明に係る換気装置の取り付け方法、動作、及び特徴部などについて説明する。
換気装置１を設置する場合、図６に示すように、まず、家屋７０の棟部４５の野地板３１に、所定の間隔をおいて隣り合う垂木４７間に、この隣り合う垂木４７間の距離よりも短いスリット状の開口７３を形成し、開口７３の小屋裏６７側の周囲に発砲製ゴムなどの柔軟性を有する樹脂からなるシール材７４を取り付ける。換気装置１の筐体３を、図７（ａ）、８に示すように、移動方向Ａに移動して、棟部４５の開口７３を挟んで隣り合う垂木４７間に位置させ、筐体３の両側面側パネル１８ｃの突出部３８を野地板３１に、固定部材４９の当接面５１を垂木４７の下面５０に当接させる。この後、両側面側パネル１８ｃの突出部３８を野地板３１に、固定部材４９の当接面５１を垂木４７の下面５０に摺接させながら、野地板３１と垂木４７をガイドとして筐体３を移動方向Ｂに移動し、排気流路４１を棟木３５の上方に差し込んで行く。そして、図６、７（ｂ）に示すように、排気流路４１の周縁部、すなわち換気装置１の排気口３９周囲の上側傾斜面３３の端縁部７４、下側傾斜面３７の端縁部７５、そして両側面側パネル１８ｃの上側角部４３で、棟部４５の開口７３を囲うようにして、この排気流路４１の周縁部を棟部４５の開口７３周囲のシール材７４に押しつけた状態になるまで筐体３を移動する。排気流路４１の周縁部を棟部４５の開口７３周囲のシール材に押しつけた状態になった後、筐体３の両側面側パネル１８ｃに設けられた固定部材４９を各々対応する垂木４７にねじ止めして筐体３を屋根２７に固定する。筐体３を屋根２７に固定した後、吸気口部材２３を筐体３に取り付ける。このとき、予めフレキシブルダクト５２を固定した吸気口部材２３を筐体３に取り付けるようにしてもよい。なお、棟部４５の開口７３の屋外側は、雨などが侵入しない構造の換気用流路７６が形成された、例えば化粧鋼板、トタン、アルミニウムなどの金属製の換気用棟カバー７７で覆う。
【００２８】
次に、換気装置１の６つの吸気口部材２３のうち、５つの吸気口部材２３に、各々、接着剤やアルミテープなどを用いて、フレキシブルチューブ５１の一端を固定し、図８に示すように、居室５３、５５、５７、ＬＤＫ５９、トイレ６１などに設置された各々の室内側吸気口６５にフレキシブルチューブ５１の他端を固定する。残りの１つの吸気口部材２３は、図６に示すように、換気装置１が設置されている小屋裏６７の空気を吸引するために解放しておく。
【００２９】
このような状態で設置した換気装置１を作動させると、図６、７に示すように、シロッコファン１３の回転により、居室５３、５５、５７、ＬＤＫ５９、トイレ６１内の空気が、各部屋に設置された各々の室内側吸気口６５からダクト５２を通って換気装置１の吸引室７へ吸引され、シロッコファン１３の側方から排気室９へ入り、換気装置１の排気流路４１、そして換気用棟カバー７７の換気用流路７５を通って屋外に排気される。このとき、各部屋５３、５５、５７、５９、６１での吸引効率は、ほぼ均一であるが、部屋の容積やフレキシブルダクト５２の長さなどにより吸引効率が変化するような場合には、室内側吸気口６５の吸引面積を調整することで吸引効率、すなわち換気効率を制御する。
【００３０】
一方、小屋裏６７内の空気は、換気装置１の解放された吸気口部材２３から吸引室７へ吸引され、シロッコファン１３の側方から排気室９へ入り、換気装置１の排気流路４１、そして換気用棟カバー７７の排気流路７５を通って屋外に排気される。このとき、小屋裏６７内では、屋外の空気が、図示していない軒天井の吸気口から吸引され、棟部に固定された換気装置１の吸気口部材２３へ流れるため、小屋裏６７の低い位置から高い位置への空気の流れができる。なお、太陽電池７１の定格電圧値は、モータ１７に合わせ、出力は、モータ１７の定格消費電力の約１５０％〜２００％にすることで、曇天時や朝夕の低日射量の状況でも、モータ１７の出力を所定出力以上に保てるようにしている。
【００３１】
このように、本実施形態の換気装置１では、筐体３が野地板３１に面する上側傾斜面３３に屋根２７の傾斜方向に沿って直線状に延在する突出部３８を有しているため、筐体３を野地板３１に当接させる場合、突出部３８のみが野地板３１に当接し、筐体３の上面である上側傾斜面３３と野地板３１との間に空間ができる。したがって、屋根２７の屋外側に取り付けられる仕上げ材２９を固定するための図示していない釘などが野地板３１から小屋裏６７側に突出していても、図示していない釘などが筐体３の上面である上側傾斜面３３に干渉しないようにすることができる。このため、野地板３１から小屋裏６７側に突出した釘などを削るなどの煩雑な作業を行わなくても、筐体３を屋根に取り付けることができる。さらに、建築物６９の棟木３５の上方に換気装置１の排気流路４１を挿入するため、筐体３を移動する場合、図示していない釘などが筐体３の上面である上側傾斜面３３に干渉することがないため、突出部３８を野地板３１に摺接させながら筐体を移動させれば、野地板３１をガイドとして筐体３を棟部４５方向に移動させることができるので、作業者は、筐体３を安定な状態で保持して簡単に移動できる。すなわち、換気装置１を建築物の屋根に簡単に取り付けることができる。
【００３２】
また、本実施形態の換気装置１では、垂木４７の下面５０に当接する当接面５１を有する固定部材４９が、両側面側パネル１８ｃに設けられている。このため、固定部材４９の当接面５１が垂木４７の下面５０に当接するように、筐体３を所定の間隔をおいて隣り合う垂木４７間に位置させ、固定部材４９の当接面５１を垂木４７の下面５０に摺接させながら垂木４７をガイドとして筐体３を屋根の棟部方向に移動させることができるので、作業者は、筐体３を安定な状態で保持して棟部４５方向へ移動できる。さらに、排気流路４１の周縁部を棟部４５の開口７３周囲のシール材７４に押しつけた状態で固定部材４５を各々対応する垂木４７にねじ止めすることにより、簡単に筐体３を屋根２７に取り付けることができる。すなわち、換気装置を建築物の屋根に簡単に取り付けることができる。
【００３３】
さらに、本実施形態の換気装置１は、複数の吸気口、すなわち吸気口部材２３と各部屋５３、５５、５７、５９、６１に備えられた室内側吸気口６５との間にダクト５２を取り付け、かつ複数の吸気口部材２３の少なくとも１つを、フレキシブルダクト５２を取り付けない解放状態にしておくことで、小屋裏６７と部屋部分５３、５５、５７、５９、６１との両方を１台の換気装置１で換気することができ、かつ、各部屋５３、５５、５７、５９、６１の空気を直接フレキシブルダクト５２を介して吸引することができるので、各部屋５３、５５、５７、５９、６１の空気をほぼ均一に吸引し、十分な換気効率を得ることができる。すなわち、換気効率を向上することができる。
【００３４】
また、建築物に空気の流路となるエアスペースなどを設ける場合には、建築物の設計を制限する場合があり、また既存の建築物に施工する場合には、複雑な施工が必要である。しかし、本実施形態の換気装置１では、吸気口部材２３と各部屋５３、５５、５７、５９、６１に備えられた室内側吸気口６５とをフレキシブルダクト５２で連結しており、このフレキシブルダクト５２は、建築物の壁間の間隙や上側階の床と下側階の天井との間などに配設することができるため、建築物の設計を制限し難く、また、既存の建築物に施工する場合にも、比較的容易な施工で換気装置１を設置できる。ただし、建築物６９などの構造により、フレキシブルダクト５２を用いなくても、各部屋５３、５５、５７、５９、６１の空気をほぼ均一に吸引できる場合や、エアスペースなどが予め設けられているような場合には、換気装置１の筐体３のみを屋根２７に取り付け、換気装置１によって生じる建築物６９内の空気の流れにより換気を行うようにしてもよい。
【００３５】
また、本実施形態の換気装置１では、筐体３の底部２４に吸音材２５を設置しているため、各部屋５３、５５、５７、５９、６１において、フレキシブルダクト５２を介して聞こえてくるシロッコファン１３などから発生する騒音を低減することができる。ただし、フレキシブルダクト５２を用いない場合には、筐体３の底部２４に吸音材２５を設置しなくてもよい。
【００３６】
ところで、環境条件などにより換気装置を用い強制的な換気を行う必要がない場合でも、小屋裏での結露やカビの発生などを防止するため、自然換気式の換気構造が採用されている。これは、軒天井などに吸気口を形成し、棟部に設けられた開口を換気用流路が形成されたトタンやアルミニウムなどの金属製の換気用棟カバーで覆って排気口を形成し、建築物外部の自然風の負圧を利用して小屋裏内を換気するものである。また、このような自然換気方式に用いられる換気用棟カバーとして、換気用流路から雨などが侵入しないような構造のものが製品化されいる。したがって、本発明の換気装置１では、本発明の換気装置１専用に棟部４５の換気構造や換気用棟カバー７７などを形成してもよいが、一般に採用されている自然換気方式の構造や、市販の換気用棟カバー７７などを利用することもできる。一般に採用されている自然換気方式の構造や、市販の換気用棟カバー７７などを利用した場合、建築物６９側に特別な構造や部品を必要としないため、施工コストを抑えることができる。さらに、本実施形態の換気装置１では、建築物６９の外壁に排気口などが設置されず、棟部４５から排気されるため、建築物の外観を損なうことがない。
【００３７】
また、本実施形態では、上側傾斜面３３の突出部３８を野地板３１に、固定部材４９の当接面５１を垂木４７の下面５０に摺接させ、野地板３１と垂木４７をガイドとして筐体３を移動しているが、野地板３１と垂木４７のいずれか１つをガイドとして、すなわち、上側傾斜面３３の突出部３８と固定部材４９の当接面５１のいずれか１つを野地板３１または垂木４７に摺接させるようにすることができる。
【００３８】
例えば、野地板３１は、垂木４７と交わる方向に固定された複数の帯状の板からなり、野地板３１の継ぎ目に段差がある場合がある。このような場合、上側傾斜面３３の突出部３８を野地板３１に摺接させて筐体３を移動すると、滑らかに筐体３を移動できない。そこで、上側傾斜面３３に突出部３８を設けず、固定部材４９の当接面５１と筐体３の上側傾斜面３３との距離が、垂木４７の下面５０と野地板３１の小屋裏６７側の面との距離よりも短くなる位置に固定部材４９を設ける。このようにすれば、筐体３の上側傾斜面３３と野地板３１との間に空間ができ、野地板３１から突出した図示していない釘などが筐体３の上側傾斜面３３に干渉しない状態にでき、さらに、上側傾斜面３３の突出部３８が、野地板３１に摺接しないので、滑らかに筐体３を移動することができる。
【００３９】
一方、隣り合う垂木４７間の距離や筐体３の幅などの条件により、垂木４７に固定部材４９の当接面５１を当接することができず、垂木４７をガイドとして筐体３を移動できない場合には、筐体３の上側傾斜面３３の突出部３８を野地板３１に摺接させ、野地板３１のみをガイドとすればよい。このとき、筐体３の固定は、筐体３を固定する屋根２７の位置に応じた固定方法を用いて行う。
【００４０】
さらに、本実施形態では、上側傾斜面３３の突出部３８を両側面側パネル１８ｃの上縁部で形成し、上側傾斜面３３の両側面側パネル１８ｃ側の縁部に突出部３８を設けているが、上側傾斜面３３の中央部などに屋根２７の傾斜方向に沿って延在する突出部を形成することもできる。ただし、両側面側パネル１８ｃの上縁部により突出部を形成すれば、突出部を形成するための部品や工数をなくすことができ、換気装置１の組立が容易になるので好ましい。
【００４１】
また、本実施形態では、排気流路４１の上側傾斜面３３を野地板３１の勾配に合わせた傾斜角度に形成しているが、上側傾斜面３３は、野地板３１から突出している図示していない釘などと干渉しなければ、野地板３１の勾配に合わせた傾斜角度に形成しなくてもよい。
【００４２】
さらに、本実施形態では、正面側パネル１８ｂの上部を４５度折り曲げて下側傾斜面３７を形成しているが、この角度は、換気装置を設置する建築物の棟木３５と棟部４５の開口との距離や、棟木３５の寸法などにより適宜決定される。また、本実施形態では、正面側パネル１８ｂの下部にドライバ１９を設置しているが、ドライバ１９は、正面側パネル１８ｂの下部以外の場所に設置してもよい。ただし、背面側パネル１８ａにドライバ１９を設置した場合には、屋根２７や屋根２７に取り付けられた部材、例えば電気配線のためのブラケットなどとドライバ１９が干渉する場合があり、両側面側パネル１８ｃにドライバ１９を設置した場合には、筐体３が屋根２７の切り妻面側などに取り付ける場合には、切り妻面などとドライバ１９が干渉する場合がある。したがって、筐体３の設置場所が制限されないためには、ドライバ１９は、正面側パネル１８ｂに設置することが好ましく、加えて、正面側パネル１８ｂは棟木３５に当接または近接するため、ドライバ１９が棟木３５と干渉しない正面側パネル１８ｂの下部に設置することが好ましい。
【００４３】
また、本実施形態では、吸気口部材２３を筐体３の底面パネル２１に取り付けているが、筐体３の背面側パネル１８ａや正面側パネル１８ｂなどに穴を形成し、そこに吸気口部材２３を取り付けてもよい。ただし、吸気口は、シロッコファン１３との間に十分な空間を介して設け、シロッコファン１３と複数の吸気口との間の距離を均一にした方が、複数の吸気口での吸引力を均一にできるため筐体３の底面パネル２１に吸気口部材２３を取り付けることが好ましい。さらに、ドライバ１９の場合と同様に、建築物６９に設けられた様々な部材などとの干渉を避け、筐体３の設置場所が制限されないためにも、筐体３の底面パネル２１に吸気口部材２３を取り付けることが好ましい。
【００４４】
また、本実施形態では、筐体３と吸気口部材２３とを別個に構成し、筐体３を屋根２７に取り付けた後、吸気口部材２３を筐体３に取り付けるようにしたが、吸気口部材２３は、筐体３と一体に形成してもよい。ただし、本実施形態のように、筐体３と吸気口部材２３とを別個に構成し、筐体３を屋根２７に取り付けた後、吸気口部材２３を筐体３に取り付けるようにすれば、筐体３の取り付け作業などにおいて、吸気口部材２３が、建築物６９に設けられた様々な部材などとぶつかることにより、吸気口部材２３が変形し、吸気口部材２３にフレキシブルダクト５２を取り付けできなくなるのを防げるので好ましい。
【００４５】
さらに、本実施形態では、複数の吸気口部材２３を筐体３の底面パネル２１に備えるようにしているが、底面パネル２１に穴を１つだけ設け、その穴に、一方の端部が複数に分岐した管状の吸気口部材を取り付けるようにしてもよい。
【００４６】
また、本実施形態では、隣り合う垂木４７間に筐体３を取り付けたが、隣り合う垂木４７間に限らず、ほぼ平行に間隔をおいて延在する複数の垂木４７のうち、任意の２本の垂木４７間に換気装置を取り付けてもよい。この場合、固定部材４９と当接する２本の垂木４７以外の垂木４７が筐体３の上側傾斜面３３に干渉する場合には、例えば、上側傾斜面３３に垂木４７に対応する溝などを形成し、垂木４７が干渉しないようにすればよい。
【００４７】
また、本実施形態では、シロッコファン１３を送気手段として用いているが、シロッコファン１３にかえてプロペラファンやターボファンなどを用いてもよい。ただし、棟部４５に、雨が侵入し難い複雑な換気用流路７６が形成された換気用棟カバー７７が設置されている場合には、プロペラファンでは、十分な静圧が得られず、十分に排気できなくなる場合があるため、シロッコファンやターボファンを用いることが好ましい。さらに、シロッコファンを用いればターボファンよりも安価であるため、換気装置のコストを低減できるので好ましい。
【００４８】
また、本実施形態では、複数の吸気口部材２３の１つにはフレキシブルダクト５２を取り付けず、小屋裏６７に解放するようにしているが、小屋裏６７内の空気を吸引するための吸気口部材２３にもフレキシブルダクト５２を取り付け、小屋裏６７の任意の位置から吸気する構成とすることもできる。
【００４９】
さらに、本実施形態では、換気装置１の電力源として太陽電池７１を用いたが、電力源として交流電源や、太陽電池と交流電源とを組み合わせて用いてもよい。ただし、太陽電池を用いれば、換気に要する消費電力を不要か、または低減できるので好ましい。
【００５０】
【発明の効果】
本発明によれば、換気装置を建築物の屋根に簡単に取り付けることができる。
【図面の簡単な説明】
【図１】本発明を適用してなる換気装置の一実施形態の内部構成と換気装置作動時の空気の流れを示す側面図である。
【図２】本実施形態の換気装置の内部構成と換気装置作動時の空気の流れを示す図１のII−II線から見た正面図である。
【図３】本実施形態の換気装置の正面図である。
【図４】本実施形態の換気装置の側面図である。
【図５】本実施形態の換気装置の下面図である。
【図６】本実施形態の換気装置の建築物の棟部への取り付け状態と換気装置作動時の空気の流れを示す建築物の拡大断面図である。
【図７】本実施形態の換気装置の建築物への取り付け手順の一例を示し、（ａ）は、換気装置の取り付け時の移動方向を、（ｂ）は、換気装置の固定位置を示す図である。
【図８】本実施形態の換気装置を野地板に当接させ、隣り合う垂木間に位置させた状態を示す斜視図である。
【図９】本実施形態の換気装置の建築物の棟部への取り付け状態と換気装置作動時の建築物内での空気の流れを示す建築物の断面図である。
【符号の説明】
１  換気装置
３  筐体
５  隔壁
７  吸気室
９  排気室
１３  シロッコファン
１７  モータ
１９  ドライバ
２３  吸気口部材（吸気口）
２９  仕上げ材
３１  野地板
３３  上側傾斜面（筐体上面）
３８  突出部
３９  排気口
４１  排気流路
４９  固定部材
５１  当接面
７６  換気用流路
７７  棟カバー
【図１】
0003755062.tif 000002
【図２】
0003755062.tif 000003
【図３】
0003755062.tif 000004
【図４】
0003755062.tif 000005
【図５】
0003755062.tif 000006
【図６】
0003755062.tif 000007
【図７】
0003755062.tif 000008
【図８】
0003755062.tif 000009
【図９】
0003755062.tif 000010